(57)【要約】【課題】アイロン本体の温度上昇の状態が一目で分かるアイロンを提供する。【解決手段】アイロン本体１の温度上昇に伴ない、このアイロン本体１の色を変化させる変色手段として熱変色性顔料を備えた。アイロン本体１の温度上昇の状態が一目で分かるようにアイロンを構成することができる。熱変化性顔料をアイロン本体１の成形材料に練り込むことで、アイロン本体の温度に熱変化性顔料を敏感に反応させることができる。アイロン本体１の表面に熱変化性顔料を塗装することで、容易に変色手段を設けることができる。【選択図】    図１
2004181006.tif 000002
【特許請求の範囲】
【請求項１】
ベースを加熱するアイロンにおいて、本体の温度に伴ない、色を変化させる手段を備えたことを特徴とするアイロン。
【請求項２】
前記手段は、材料に構成された顔料であることを特徴とする請求項１記載のアイロン。
【請求項３】
前記手段は、前記本体に塗装された顔料であることを特徴とする請求項１記載のアイロン。
【発明の詳細な説明】
【０００１】
【発明の属する技術分野】
本発明は、衣類などのプレス仕上げに使用するアイロンに関する。
【０００２】
【発明が解決しようとする課題】
従来のこの種のアイロンは、上部に把手を有するアイロン本体と、その下部に設けられ、掛け面を備えたベースと、このベースを加熱する加熱手段たるヒーターとから構成され、ヒーターに通電することでベースを加熱し、加熱された掛け面を衣類に当てることでアイロン掛けを行っていた。そして、ベースが加熱される際に、ベースの熱による影響でアイロン本体のベースに近接した部位も温度上昇を起こしていた。しかし、見ただけでは温度が上昇しているのかどうかは分からないので、温度上昇をした部位に手が触れるなどして火傷をする虞があった。
【０００３】
本発明は、このような問題点を解決しようとするもので、アイロン本体の温度上昇の状態が一目で分かるアイロンを提供することをその目的とする。
【０００４】
【特許文献１】
特開２００２−１０２５９８号公報
【０００５】
【課題を解決するための手段】
請求項１の発明のアイロンでは、ベースを加熱するアイロンにおいて、本体の温度に伴ない、色を変化させる手段を備えたことで、アイロン本体の温度上昇の状態が一目で分かるようにアイロンを構成することができる。
【０００６】
請求項２の発明のアイロンでは前記手段は、材料に構成された顔料であることで、アイロン本体の成形材料の温度に熱変化性顔料を敏感に反応させることができる。
【０００７】
請求項３の発明のアイロンは、前記手段は、前記本体に塗装された顔料であることで、アイロン本体に容易に変色手段を設けることができる。
【０００８】
【発明の実施形態】
以下、本発明のアイロンの第一実施例について、添付図面を参照しながら説明する。１は本体たるアイロン本体であって、このアイロン本体１は加熱手段としてヒータ２を埋設したベース３を下部に備えている。このベース３の底面には、ネジ４によって、ベース裏板５が着脱可能に固定されている。なお、ベース３にベース裏板５を備えていないものでもよい。
【０００９】
ベース３の内部には、ヒータ２の近傍に位置して気化室６が形成され、この気化室６に連通する複数の噴出孔７がベース３の下面に設けられる。また、８はベース３の上部に設けられたベースカバー、９はベースカバー８の上方に設けられたハンドルである。なお、気化室６はベース３に直接形成せず、ベース３と別体に形成してもよい。
【００１０】
ハンドル９の前方には、水タンクに相当する容器たるカセットタンク１０がアイロン本体１に対し着脱可能に設けられている。カセットタンク１０は例えば合成樹脂から形成され、その両側がハンドル９の前端部側から後端部側の両側にかけて跨るように配置されている。カセットタンク１０の前方上部には、開閉自在な注水口蓋１１が設けられており、この注水口蓋１１を開けてカセットタンク１０内に水を収容したり、カセットタンク１０内の不要水を排出できるようになっている。なお、水タンクを固定式としたものや、水タンクを備えていないドライ専用のものであってもよい。
【００１１】
ハンドル９の側面には、タンクロック釦１２が突き出して設けられており、このタンクロック釦１２を操作することによって上下動する昇降体１３が、弾性部材たるスプリング１４により常時下方に付勢されている。そして、昇降体１３の下部に突設したロック部１５が、カセットタンク１０の傾斜した上面に形成された凹部１６に係止する機構になっている。これらタンクロック釦１２，昇降体１３，スプリング１４，ロック部１５により、カセットタンク１０のロック機構が構成されている。
【００１２】
ハンドル９の上部には、取手部１７が形成されている。そして、ハンドル９の後方には、ヒーター２に通電するためのコード１８を収納したコードリール１９が設けられている。なお、コードリール１９を備えていないものであってもよい。
【００１３】
ベース３の上方に設けられたカバー８，ハンドル９，カセットタンク１０，コードリール１９など、アイロン本体１の外面に現れる部品には、色を変化させる手段たる変色手段としての顔料たる熱変化性顔料が練りこまれている。この熱変化性顔料は、温度上昇によって色が変化する顔料であって、例えば、温度によって多段階に色の変化するもの、ある特定の温度領域で色が変化するものなどがある。本実施例においては、これらのいずれであっても使用可能であるが、好ましくは、火傷の虞のある６０℃以上で色が変化するものを用いる。また、ここで用いる熱変化性顔料としては、温度上昇を示す色が赤などの目立つ色のものが好ましい。また、アイロン本体１の外面に現れる部品の全てに熱変化性顔料を練りこまず、温度上昇の大きい、例えばカバー８にのみ熱変化性顔料を練りこむようにしてもよい。
【００１４】
カセットタンク１０の内部には滴下部に相当する弁装置２０が設けられており、この弁装置２０の下部には、気化室６に連通する通水路たる通水継手２１が設けられている。弁装置２０はカセットタンク１０の下面部にあって、支持体２２により直立状態にかつ上下に摺動自在に支持されたスチーム開閉棒２３と、このスチーム開閉棒２３の下端に設けられた円板状の弁体２４と、弁体２４の上方にスチーム開閉棒２３を常時下方に付勢するスプリング２５とを備え、弁体２４は水タンク１０の底面に形成した弁孔たる流出口２６の中心部に臨んで設けられている。また、スチーム開閉棒２３は、下端を流出口２６に対向させており、上端を水タンク１０より上方へ突出させている。そして、スチーム開閉棒２３の上下動により、弁体２４が開閉するようになっている。押し釦２７がカセットタンク１０に設けられており、この押し釦２７の操作に連動して、スチーム開閉棒２３が上下動するように構成されている。そして、押し釦２７を押すことにより、スチーム開閉棒２３が上昇位置または下降位置に切替わるようになっている。
【００１５】
また、通水継手２１とベース３との間には、ベース３からの熱を遮断する遮熱板２８が介在してある。この遮熱板２８の下方には、気化室６の上部開口部を覆うようにして蓋板２９が設けられる。また、流出口２６の下部は、通水継手２１を介して気化室６と連通している。
【００１６】
３０は、通水継手２１の途中に設けられたノズルであって、このノズル３０を開閉する開閉弁３１が装着される。また、開閉弁３１の下端は、スプリング３２により常時下方に付勢され、前記遮熱板２８および蓋板２９に共通して設けられた開口部３３よりベース３の凹部３４に向けて下方に突出している。このベース３の凹部３４には、感熱応動体に相当する反転式のバイメタル３５が収容されるとともに、バイメタル３５の上面に対向して、開閉弁３１の下端が位置している。そして、凹部３４の近傍にある気化室６が所定の温度に達すると、バイメタル３５が凹部３４の内部で反転し、スプリング３２の付勢に抗して開閉弁３１を押し上げることにより、ノズル３０を開くように構成してある。
【００１７】
ハンドル９の上部には操作パネル３６が設けられており、ハンドル９の両側面より突出して、ベース３の設定温度を変えるための操作手段に相当する温度設定ツマミ３７が配設される。温度設定ツマミ３７は水平方向に前後に摺動自在に設けられており、この温度設定ツマミ３７の位置によってベース３の設定温度を変えることができるようになっている。なお、温度設定ツマミ３７は上記のような摺動式に限らず、回転式としてもよい。
【００１８】
取手部１７の内部には、複数の段差を有するカム部３８が温度設定ツマミ３７と一体的に形成されている。そして、カム部３８の下面に操作体３９の上端が当接し、操作体３９は上下動可能に設けられている。また、操作体３９は、カム部３８に当接する合成樹脂製の操作棒４０と、この操作棒４０の下部の金属製の調節軸４１とによって構成される。
【００１９】
４２は、アイロン本体１の後方下部に設けられたサーモスタットである。このサーモスタット４２は、ベース３の温度を感知して形状が変化する感熱応動体としてのバイメタル４３を備え、バイメタル４３が感知するベース３の温度に応じて、接点４４の開閉を切り替えるようになっている。バイメタル４３は周知のように、温度の変化により一定方向に湾曲する性質を有するもので、その基端部が固着具によりベース３の掛面の平坦面に密着するとともに、その先端部はベース３の掛面の温度上昇に伴い上方に撓むように配置されている。一方、使用者による温度設定ツマミ３７の操作によりカム部３８が温度設定ツマミ３７と一体に前後動し、カム部３８の前後動に連動して操作体３９が上下動するようになっている。そして、この操作体３９の上下動に応じて接点４４が開閉し、この開閉動作によりヒーター２の通電が制御され、この制御によりベース３の温度が前記温度設定ツマミ３７で選択された設定温度に保たれるようになっている。なお、ベース３の温度制御にはサーモスタット４２のほかに、マイクロコンピュータなどで構成される温度制御装置を用いてもよく、種々の変形実施が可能である。
【００２０】
次に、上記構成のアイロンにおける動作を説明する。予め注水口蓋１１から水をカセットタンク１０内に収容する。次いで、コード１８の先端に取り付けられたプラブ（図示せず）をコンセントに差し込むと、アイロン本体１内のヒータ３へ通電され、ベース３が加熱される。その際、温度設定ツマミ３７による設定に応じて、サーモスタット４２によりヒータ３への通電が制御され、これによりベース３の温度が調整される。また、カセットタンク１０の弁体２４を開いている場合、水がカセットタンク１０内から流出口２６を通ってベース３の気化室６に滴下供給され、ここでベース３の熱により水が蒸発して蒸気すなわちスチームが発生する。このスチームは噴出口７から外部へ噴出する。
【００２１】
ベース３の温度上昇に伴って、アイロン本体１を構成するカバー８，ハンドル９，カセットタンク１０，コードリール１９などの温度が上昇する。これらの部品には、熱変化性顔料が練りこまれているが、ある程度以上の温度、例えば火傷の虞のある６０℃以上に上昇した部位の熱変化性顔料の色が変化し、それ以外の部位の色は変化しない。このように、一目で高温の部位が認識されるように構成されている。
【００２２】
以上のように、本実施例によれば、アイロン本体１に設けられたベース３を加熱手段たるヒーター２で加熱するアイロンにおいて、アイロン本体１の温度上昇に伴ない、このアイロン本体１の色を変化させる変色手段たる熱変色性顔料を備えたものである。
【００２３】
この場合、アイロン本体１の温度上昇の状態が一目で分かるようにアイロンを構成することができ、安全性の高い使い勝手の優れたアイロンを提供することができる。
【００２４】
また、変色手段は、アイロン本体１の成形材料に練り込まれた熱変化性顔料である。
【００２５】
この場合、アイロン本体の成形材料と熱変化性材料が密接に接触しているので、アイロン本体の温度に熱変化性顔料を敏感に反応させることができる。
【００２６】
次に、第二実施例について説明する。なお、前記第一実施例と同一部分には同一符号を付し、その共通する箇所の説明は重複するため省略する。
【００２７】
ベース３の上方に設けられたカバー８，ハンドル９，カセットタンク１０，コードリール１９など、アイロン本体１の外面に現れる部品の表面には、変色手段としての熱変化性顔料が塗装されている。この熱変化性顔料は、第一実施例で説明したものと同様のものを用いて、塗装用の樹脂、溶剤等と混合して、アイロン本体１の外面に塗装されている。なお、アイロン本体１の外面全体に熱変化性顔料を塗装せず、温度上昇の大きい、例えばカバー８の部位にのみ、熱変化性顔料を塗装するようにしてもよい。
【００２８】
次に、上記構成のアイロンにおける動作を説明する。ベース３の温度上昇に伴って、アイロン本体１を構成するカバー８，ハンドル９，カセットタンク１０，コードリール１９などの温度が上昇する。これらの部品には、熱変化性顔料が塗装されているが、ある程度以上の温度、例えば火傷の虞のある６０℃以上に上昇した部位の熱変化性顔料の色が変化し、それ以外の部位の色は変化しない。このように、一目で高温の部位が認識されるように構成されている。
【００２９】
以上のように、本実施例によれば、変色手段は、アイロン本体１の表面に塗装された熱変化性顔料である。
【００３０】
この場合、アイロン本体１に塗装するだけで容易に変色手段を設けることができる。
【００３１】
なお、本発明は上記実施例に限定されるものではなく、本発明の要旨の範囲において種々の変形実施が可能である。
【００３２】
【発明の効果】
請求項１の発明のアイロンでは、ベースを加熱するアイロンにおいて、本体の温度に伴ない、色を変化させる手段を備えたことで、アイロン本体の温度上昇の状態が一目で分かるようにアイロンを構成することができる。
【００３３】
請求項２の発明のアイロンでは前記手段は、材料に構成された顔料であることで、アイロン本体の成形材料の温度に熱変化性顔料を敏感に反応させることができる。
【００３４】
請求項３の発明のアイロンは、前記手段は、前記本体に塗装された顔料であることで、アイロン本体に容易に変色手段を設けることができる。
【図面の簡単な説明】
【図１】本発明の実施例を示すアイロン本体の前後方向の縦断面図である。
【図２】同上アイロン本体の側面図である。
【符号の説明】
１  アイロン本体（本体）
３  ベース
【図１】
2004181006.tif 000003
【図２】
2004181006.tif 000004